(57)【要約】【課題】直流電圧が重畳されている伝送線から交流信号を保護して通信異常の発生を抑制する。【解決手段】（ａ）負荷の駆動命令が入力されたか否かを判断するステップ（Ｓ１０１）、（ｂ）前記ステップ（ａ）における判断が肯定的である場合には、入力電圧に交流信号が含まれているか否かを判断するステップ（Ｓ１０２）、（ｃ）前記ステップ（ｂ）における判断が否定的である場合には前記駆動命令に応じた処理を実行し、肯定的である場合には前記処理を待機するステップ（Ｓ１０３）を実行する。【選択図】図７
2009100469.tif 000002
【特許請求の範囲】
【請求項１】
通信手段（１０２）と直流電圧分離手段（１０８）とが、直流電圧と交流電圧とが重畳された入力電圧を伝送する伝送線（１２８，１２９）に並列に接続され、
前記直流電圧分離手段は前記入力電圧から電源電圧を分離して前記通信手段及び負荷（１２２）に出力し、
前記通信手段は前記電源電圧を基準として設定される参照電位（Ｖｒｅｆ）を用いて前記入力電圧から前記交流信号を分離し、
前記負荷は前記電源電圧を動作電源として駆動命令に従って動作する方法であって、
（ａ）前記負荷の駆動命令が入力されたか否かを判断するステップ（Ｓ１０１）、
（ｂ）前記ステップ（ａ）における判断が肯定的である場合には、前記入力電圧に前記交流信号が含まれているか否かを判断するステップ（Ｓ１０２）、
（ｃ）前記ステップ（ｂ）における判断が否定的である場合には前記駆動命令に応じた処理（Ｓ１１０）を実行し、肯定的である場合には前記処理を待機するステップ
が実行される、負荷の駆動方法。
【請求項２】
請求項１記載の負荷の駆動方法であって、
前記ステップ（ｂ）における判断が肯定的である場合には、前記ステップ（ｃ）の実行後に、更に前記ステップ（ｂ）を実行する、負荷の駆動方法。
【請求項３】
請求項１又は請求項２記載の負荷の駆動方法であって、
前記処理によって前記負荷に印加される電圧の変化を、時間連続的な変化とさせる制御が行われる、負荷の駆動方法。
【請求項４】
請求項１又は請求項２記載の負荷の駆動方法であって、
前記処理によって前記負荷に印加される電圧の変化を、時間離散的な変化とさせる制御が行われる、負荷の駆動方法。
【請求項５】
通信手段（１０２）と直流電圧分離手段（１０８）とが、直流電圧と交流電圧とが重畳された入力電圧を伝送する伝送線（１２８，１２９）に並列に接続され、
前記直流電圧分離手段は前記入力電圧から電源電圧を分離して前記通信手段及び負荷（１２２）に出力し、
前記通信手段は前記電源電圧を基準として設定される参照電位（Ｖｒｅｆ）を用いて前記入力電圧から前記交流信号を分離し、
前記電源電圧を動作電源として駆動命令に従って前記負荷を駆動する負荷駆動装置（１００）であって、
前記負荷の駆動命令の入力を受け付ける入力手段（１１８）と、
前記入力手段が前記駆動命令を受け付けたときに、前記入力電圧に前記交流信号が含まれているか否かを監視する監視手段（１２６）と、
前記入力電圧に前記交流信号が含まれていないときに前記駆動命令に応じた処理を実行し、前記入力電圧に前記交流信号が含まれているときに前記処理を待機する制御手段（１２４）と
を備える、負荷駆動装置。
【請求項６】
通信手段（１０２）と直流電圧分離手段（１０８）とが、直流電圧と交流信号とが重畳された入力電圧を伝送する伝送線（１２８，１２９）に並列に接続され、
前記直流電圧分離手段は前記入力電圧から電源電圧を分離して前記通信手段及び負荷（１２２）に出力し、
前記通信手段は前記電源電圧を基準として設定される参照電位（Ｖｒｅｆ）を用いて前記入力電圧から前記交流信号を分離し、
前記負荷は前記電源電圧を動作電源として駆動命令に従って動作する方法であって、
（ａ）前記駆動命令が入力されたか否かを判断するステップ（Ｓ２０１）、
（ｂ）前記ステップ（ａ）における判断が肯定的である場合には、前記電源電圧を時間的に変化させるステップ（Ｓ２０２）
が実行される、負荷の駆動方法。
【請求項７】
請求項６記載の負荷の駆動方法であって、
前記ステップ（ｂ）では、前記電源電圧を時間連続的に変化させる、負荷の駆動方法。
【請求項８】
請求項６記載の負荷の駆動方法であって、
前記ステップ（ｂ）では、前記電源電圧を時間離散的に変化させる、負荷の駆動方法。
【請求項９】
通信手段（１０２）と直流電圧分離手段（１０８）とが、直流電圧と交流信号とが重畳される入力電圧を伝送する伝送線（１２８，１２９）に並列に接続され、
前記直流電圧分離手段は前記入力電圧から電源電圧を分離して前記通信手段及び負荷（１２２）に出力し、
前記通信手段は前記電源電圧を基準として設定される参照電位（Ｖｒｅｆ）を用いて前記入力電圧から一の前記交流信号を分離し、
前記負荷は前記電源電圧を動作電源として駆動命令に従って動作する方法であって、
（イ）他の前記交流信号を前記伝送線へ出力する出力命令を受けたか否かを判断するステップ（Ｓ３０１）
（ロ）前記ステップ（イ）における判断が肯定的な場合に実行され、前記入力電圧に前記一の前記交流信号が含まれているか否かを判断するステップ（Ｓ３０２）、
（ハ）前記ステップ（イ）における判断が肯定的な場合に実行され、前記駆動命令が入力されているか否かを判断するステップ（Ｓ３０３）、
（ニ）前記ステップ（ロ）、（ハ）における判断がいずれも否定的である場合には前記出力命令に基づいて前記他の前記交流信号の前記伝送線への出力を実行し、少なくともいずれか一方が肯定的である場合には前記出力を待機するステップ（Ｓ３０２，Ｓ３０３）
が実行される、負荷の駆動方法。
【請求項１０】
請求項９記載の負荷の駆動方法であって、
前記ステップ（ロ）における判断が否定的である場合には前記ステップ（ハ）における判断が否定的となるまで前記ステップ（ハ）、（ニ）を繰り返して実行する、負荷の駆動方法。
【請求項１１】
請求項９記載の負荷の駆動方法であって、
（ホ）前記ステップ（ハ）における判断が肯定的である場合には、前記直流電圧の変化率を監視し、前記変化率が予め定められた閾値以下の場合に前記出力を実行するステップ（Ｓ３０４，Ｓ３０５）
が実行される、負荷の駆動方法。
【請求項１２】
請求項９ないし請求項１１のいずれか記載の負荷の駆動方法であって、
前記ステップ（ハ）における判断が肯定的である場合には、前記駆動命令に応じた処理を実行する、負荷の駆動方法。
【請求項１３】
通信手段（１０２）と直流電圧分離手段（１０８）とが、直流電圧と交流信号とが重畳される入力電圧を伝送する伝送線（１２８，１２９）に並列に接続され、
前記直流電圧分離手段は前記入力電圧から電源電圧を分離して前記通信手段及び負荷（１２２）に出力し、
前記通信手段は前記電源電圧を基準として設定される参照電位（Ｖｒｅｆ）を用いて前記入力電圧から前記交流信号を分離し、
前記電源電圧を動作電源として駆動命令に従って前記負荷を駆動する負荷駆動装置（１００Ｂ）であって、
一の前記交流信号を前記伝送線に出力する出力命令を受け付ける入力手段（１１８Ｂ）と、
前記入力手段が前記出力命令を受け付けたときに、前記駆動命令が入力されているか否かを監視する第１監視手段（１２６Ｂ）と、
前記伝送線から他の前記交流信号が分離されているか否かを監視する第２監視手段（２２６Ｂ）と、
前記駆動命令が入力されておらずかつ前記他の前記交流信号が分離されていないときには前記出力命令に従って前記一の前記交流信号の前記出力線への出力を実行し、前記駆動命令が入力されているか若しくは前記他の前記交流信号が分離されているときには前記出力を待機する制御手段（１２４Ｂ）と
を備える、負荷駆動装置。
【請求項１４】
請求項１３記載の負荷駆動装置（１００Ｂ）であって、
前記負荷が駆動されていると前記第１監視手段（１２６Ｂ）が判断したときに、前記直流電圧の変化率を監視する第３監視手段（３２６Ｂ）を更に備え、
前記制御手段（１２４Ｂ）は、前記変化率が予め定められた閾値以下の場合には前記出力を実行し、前記変化率が予め定められた閾値よりも大きい場合には前記出力を待機する、負荷駆動装置。
【発明の詳細な説明】
【技術分野】
【０００１】
本発明は、交流信号を伝送する方法に関し、特に直流電圧が重畳されている場合の、当該直流電圧の変動対策に係るものである。
【背景技術】
【０００２】
例えば、空気調和機において、電源用直流電圧と伝送信号とをリモートコントローラ（以下、「リモコン」と称する）への電源用直流電圧と伝送信号とを伝送線上に重畳して伝送する技術が提案されている（特許文献１）。
【０００３】
特許文献１では、室内機とワイヤードリモコンとが２本の伝送線で接続される。この２本の伝送線には、室内機からワイヤードリモコンへの直流電圧の供給に加え、ワイヤードリモコンと室内機との間の半２重通信のベースバンド信号も重畳されている。
【０００４】
通常、室内機側には、ワイヤードリモコンへ供給する直流電圧と、伝送路間の交流インピーダンスとを適度に保つためのコイルが、直流電源と伝送路との間に設けられており、ワイヤードリモコンにはこのコイルを経由して電流が流れることになる。
【０００５】
【特許文献１】特開平５−１７５９７２号公報
【発明の開示】
【発明が解決しようとする課題】
【０００６】
近年、上述の技術に加えて、ワイヤードリモコンが有する表示手段（例えば、ＬＣＤ）の視認性向上を図り、バックライトを搭載する需要が高まってきている。しかしながら、上記特許文献１に開示されている構成に単にバックライトを付加し、これを室内機からリモコンに供給されている直流電圧に基づいて得られる電源電圧を用いて駆動してしまうと、次のような問題が生じる。
【０００７】
バックライトは電流を消費するので、室内機からリモコンへと供給する直流電流が増加する。当該直流電流が流れる伝送線には直流抵抗及びインダクタンスがあるために当該伝送線には直流電圧が発生する。直流電流が変動（増加又は減少）すると、当該インダクタンスによって直流電圧（ベースライン）の変動が顕著になる。この現象は負荷への電圧供給をＯＦＦにするときにも発生する。
【０００８】
図１１は、伝送線における入力電圧Ｖｉと、リモコン側で入力電圧Ｖｉから分離したベースバンド信号Ｄｏｕｔを示すグラフである。図中の破線はベースバンド信号Ｄｏｕｔを分離するための閾値電圧を示す。図１１に示すように、通信ベースバンド波形のベースラインは変化する場合がある。この場合、直流電圧が変動しているのであるから、これに基づいて得られる電源電圧も低下する。当該電源電圧に基づいて動作する受信回路によってベースバンド信号Ｄｏｕｔを分離する場合、ベースラインの変動が緩慢であれば、上記の閾値電圧もベースラインに追従して変化する。
【０００９】
しかし、受信回路に伝送されるベースバンド信号の伝送経路と、電源電圧が供給される供給経路とが異なるため、ベースラインの変動が急峻であれば、電源電圧の変動がこれに追従しない場合がある。このとき、受信回路が採用する閾値電圧が、ベースラインの変化に応じて追従できないことがあり、通信異常となり得る。
【００１０】
通信異常の発生要因を具体的に考えると、主に以下の２つが挙げられる。すなわち、
（ａ）伝送線の長さ：  室内機とリモコン間の伝送路の長さが異なることにより
伝送路の抵抗値が変化し、伝送路が長いほど電圧低下が大きくなる；
（ｂ）伝送線の太さ：  伝送線が細くなると電気抵抗が増加するため、
負荷変動時の電圧低下が大きくなる。
この変動を抑えるには、室内機側のコイル及びリモコン側のインダクタンス値を大きくすればある程度抑えられるが、コストや実装スペース等との関係で当該変動をゼロにすることはできない。
【００１１】
よって、伝送線が長いほど、また細いほど、バックライトが電流を消費することに起因する通信異常は発生しやすくなる。
【００１２】
本発明は、上記課題に鑑み、負荷の駆動による直流電圧の変動が生じても交流信号を検出する妨げとならず、通信異常の発生を抑制する技術を提供することを目的とする。
【課題を解決するための手段】
【００１３】
上記課題を解決すべく、第１の発明は、通信手段（１０２）と直流電圧分離手段（１０８）とが、直流電圧と交流電圧とが重畳された入力電圧を伝送する伝送線（１２８，１２９）に並列に接続され、前記直流電圧分離手段は前記入力電圧から電源電圧を分離して前記通信手段及び負荷（１２２）に出力し、前記通信手段は前記電源電圧を基準として設定される参照電位（Ｖｒｅｆ）を用いて前記入力電圧から前記交流信号を分離し、前記負荷は前記電源電圧を動作電源として駆動命令に従って動作する方法であって、（ａ）前記負荷の駆動命令が入力されたか否かを判断するステップ（Ｓ１０１）、（ｂ）前記ステップ（ａ）における判断が肯定的である場合には、前記入力電圧に前記交流信号が含まれているか否かを判断するステップ（Ｓ１０２）、（ｃ）前記ステップ（ｂ）における判断が否定的である場合には前記駆動命令に応じた処理（Ｓ１１０）を実行し、肯定的である場合には前記処理を待機するステップが実行される、負荷の駆動方法である。
【００１４】
第２の発明は、第１の発明であって、前記ステップ（ｂ）における判断が肯定的である場合には、前記ステップ（ｃ）の実行後に、更に前記ステップ（ｂ）を実行する。
【００１５】
第３の発明は、第１又は第２の発明であって、前記処理によって前記負荷に印加される電圧の変化を、時間連続的な変化とさせる制御が行われる。
【００１６】
第４の発明は、第１又は第２の発明であって、前記処理によって前記負荷に印加される電圧の変化を、時間離散的な変化とさせる制御が行われる。
【００１７】
第５の発明は、通信手段（１０２）と直流電圧分離手段（１０８）とが、直流電圧と交流電圧とが重畳された入力電圧を伝送する伝送線（１２８，１２９）に並列に接続され、前記直流電圧分離手段は前記入力電圧から電源電圧を分離して前記通信手段及び負荷（１２２）に出力し、前記通信手段は前記電源電圧を基準として設定される参照電位（Ｖｒｅｆ）を用いて前記入力電圧から前記交流信号を分離し、前記電源電圧を動作電源として駆動命令に従って前記負荷を駆動する負荷駆動装置（１００）であって、前記負荷の駆動命令の入力を受け付ける入力手段（１１８）と、前記入力手段が前記駆動命令を受け付けたときに、前記入力電圧に前記交流信号が含まれているか否かを監視する監視手段（１２６）と、前記入力電圧に前記交流信号が含まれていないときに前記駆動命令に応じた処理を実行し、前記入力電圧に前記交流信号が含まれているときに前記処理を待機する制御手段（１２４）とを備える、負荷駆動装置である。
【００１８】
第６の発明は、通信手段（１０２）と直流電圧分離手段（１０８）とが、直流電圧と交流信号とが重畳された入力電圧を伝送する伝送線（１２８，１２９）に並列に接続され、前記直流電圧分離手段は前記入力電圧から電源電圧を分離して前記通信手段及び負荷（１２２）に出力し、前記通信手段は前記電源電圧を基準として設定される参照電位（Ｖｒｅｆ）を用いて前記入力電圧から前記交流信号を分離し、前記負荷は前記電源電圧を動作電源として駆動命令に従って動作する方法であって、（ａ）前記駆動命令が入力されたか否かを判断するステップ（Ｓ２０１）、（ｂ）前記ステップ（ａ）における判断が肯定的である場合には、前記電源電圧を時間的に変化させるステップ（Ｓ２０２）が実行される、負荷の駆動方法である。
【００１９】
第７の発明は、第６の発明であって、前記ステップ（ｂ）では、前記電源電圧を時間連続的に変化させる。
【００２０】
第８の発明は、第６の発明であって、前記ステップ（ｂ）では、前記電源電圧を時間離散的に変化させる。
【００２１】
第９の発明は、通信手段（１０２）と直流電圧分離手段（１０８）とが、直流電圧と交流信号とが重畳される入力電圧を伝送する伝送線（１２８，１２９）に並列に接続され、前記直流電圧分離手段は前記入力電圧から電源電圧を分離して前記通信手段及び負荷（１２２）に出力し、前記通信手段は前記電源電圧を基準として設定される参照電位（Ｖｒｅｆ）を用いて前記入力電圧から一の前記交流信号を分離し、前記負荷は前記電源電圧を動作電源として駆動命令に従って動作する方法であって、（イ）他の前記交流信号を前記伝送線へ出力する出力命令を受けたか否かを判断するステップ（Ｓ３０１）（ロ）前記ステップ（イ）における判断が肯定的な場合に実行され、前記入力電圧に前記一の前記交流信号が含まれているか否かを判断するステップ（Ｓ３０２）、（ハ）前記ステップ（イ）における判断が肯定的な場合に実行され、前記駆動命令が入力されているか否かを判断するステップ（Ｓ３０３）、（ニ）前記ステップ（ロ）、（ハ）における判断がいずれも否定的である場合には前記出力命令に基づいて前記他の前記交流信号の前記伝送線への出力を実行し、少なくともいずれか一方が肯定的である場合には前記出力を待機するステップ（Ｓ３０２，Ｓ３０３）が実行される、負荷の駆動方法である。
【００２２】
第１０の発明は、第９の発明であって、前記ステップ（ロ）における判断が否定的である場合には前記ステップ（ハ）における判断が否定的となるまで前記ステップ（ハ）、（ニ）を繰り返して実行する。
【００２３】
第１１の発明は、第９の発明であって、（ホ）前記ステップ（ハ）における判断が肯定的である場合には、前記直流電圧の変化率を監視し、前記変化率が予め定められた閾値以下の場合に前記出力を実行するステップ（Ｓ３０４，Ｓ３０５）が実行される。
【００２４】
第１２の発明は、第９ないし第１１のいずれかの発明であって、前記ステップ（ハ）における判断が肯定的である場合には、前記駆動命令に応じた処理を実行する。
【００２５】
第１３の発明は、通信手段（１０２）と直流電圧分離手段（１０８）とが、直流電圧と交流信号とが重畳される入力電圧を伝送する伝送線（１２８，１２９）に並列に接続され、前記直流電圧分離手段は前記入力電圧から電源電圧を分離して前記通信手段及び負荷（１２２）に出力し、前記通信手段は前記電源電圧を基準として設定される参照電位（Ｖｒｅｆ）を用いて前記入力電圧から前記交流信号を分離し、前記電源電圧を動作電源として駆動命令に従って前記負荷を駆動する負荷駆動装置（１００Ｂ）であって、一の前記交流信号を前記伝送線に出力する出力命令を受け付ける入力手段（１１８Ｂ）と、前記入力手段が前記出力命令を受け付けたときに、前記駆動命令が入力されているか否かを監視する第１監視手段（１２６Ｂ）と、前記伝送線から他の前記交流信号が分離されているか否かを監視する第２監視手段（２２６Ｂ）と、前記駆動命令が入力されておらずかつ前記他の前記交流信号が分離されていないときには前記出力命令に従って前記一の前記交流信号の前記出力線への出力を実行し、前記駆動命令が入力されているか若しくは前記他の前記交流信号が分離されているときには前記出力を待機する制御手段（１２４Ｂ）とを備える、負荷駆動装置である。
【００２６】
第１４の発明は、第１３の発明であって、前記負荷が駆動されていると前記第１監視手段（１２６Ｂ）が判断したときに、前記直流電圧の変化率を監視する第３監視手段（３２６Ｂ）を更に備え、前記制御手段（１２４Ｂ）は、前記変化率が予め定められた閾値以下の場合には前記出力を実行し、前記変化率が予め定められた閾値よりも大きい場合には前記出力を待機する。
【発明の効果】
【００２７】
第１の発明によれば、負荷の駆動による直流電圧の変動が交流信号を検出する妨げとならない。
【００２８】
第２の発明によれば、交流信号の検出を妨げないように待機された処理を実行できる。
【００２９】
第３の発明によれば、交流信号の検出を妨げず、しかも電源電圧の変動による通信異常を回避又は抑制できる。
【００３０】
第４の発明によれば、交流信号の検出を妨げず、しかも電源電圧の変動による通信異常を第３の発明よりも低コストで回避又は抑制できる。
【００３１】
第５の発明によれば、負荷の駆動による直流電圧の変動が交流信号を検出する妨げとならない。
【００３２】
第６の発明によれば、ベースラインの変動に閾値電圧の変動が追従可能となり、通信異常の発生を回避又は抑制できる。
【００３３】
第７の発明によれば、電源電圧の変動による通信異常を回避又は抑制できる。
【００３４】
第８の発明によれば、電源電圧の変動による通信異常を低コストで回避又は抑制できる。
【００３５】
第９の発明によれば、負荷の駆動による直流電圧の変動が他の交流信号を検出する妨げとならないで、負荷を速やかに駆動することができる。
【００３６】
第１０の発明によれば、負荷の駆動を妨げないように待機された出力を実行できる。
【００３７】
第１１の発明によれば、負荷の駆動による直流電圧の変動が生じても交流信号を検出できる。
【００３８】
第１２の発明によれば、負荷を速やかに駆動することができる。
【００３９】
第１３の発明によれば、負荷の駆動による直流電圧の変動が他の交流信号の検出の妨げとならないで、負荷を速やかに駆動することができる。
【００４０】
第１４の発明によれば、負荷の駆動による直流電圧の変動が生じても交流信号を検出できる。
【発明を実施するための最良の形態】
【００４１】
以下、本発明の好適な実施形態について、図面を参照しながら説明する。なお、図１を初めとする以下の図には、本発明に関係する要素のみを示す。
【００４２】
〈第１実施形態〉
〈構成〉
図１は、本発明の第１実施形態に係る負荷駆動装置（リモコン）１００を示す図である。図１に示すように本実施形態のリモコン１００は、例えば、空気調和機の室内機側Ｉ／Ｆ回路１３０に伝送線１２８，１２９を介して接続されている。
【００４３】
室内機側Ｉ／Ｆ回路１３０は、送信回路１３４及び受信回路１３６を有する通信部１３２と、電源１４０及びコイル１４２を有する直流電圧重畳回路１３８とを備えている。
【００４４】
リモコン１００は、ユーザからの入力操作（例えば、空気調和機の動作の設定や、バックライト１２２の駆動命令の入力）を受け付けて入力操作信号を出力する入力回路１１８、表示手段（ＬＣＤ）１２０、ＬＣＤ１２０のバックライト１２２、入力回路１１８からの入力操作信号に基づいて空気調和機の動作の制御や、ＬＣＤ１２０及びバックライト１２２等を制御するＭＣＵ１２４を備えている。
【００４５】
また、リモコン１００では、通信部１０２と直流電圧分離回路１０８とが、直流電圧と交流信号とが重畳された入力電圧を伝送する伝送線１２８，１２９に並列に接続されている。直流電圧分離回路１０８は入力電圧から電源電圧を分離して通信部１０２及び負荷（バックライト）１２２に出力する。通信部１０２は受信回路１０４及び送信回路１０６を有する。送信回路１０６は例えば、ＭＣＵ１２４からの空気調和機の動作の制御を室内機（図示省略）に送信する。受信回路１０４は、電源電圧を基準として設定される参照電位Ｖｒｅｆ（図１では図示省略）を用いて入力電圧から交流信号を分離する。
【００４６】
また、リモコン１００は、電源回路１１６から供給される電源電圧を動作電源として、入力された駆動命令に従って、直接にはＭＣＵ１２４の制御により、バックライト１２２を駆動する（以下、「駆動」を「点灯」又は「消灯」とも称する）。
【００４７】
図２は、受信回路１０４の内部を示す回路図である。なお、室内機側Ｉ／Ｆ回路１３０に設けられる受信回路１３６も同様であるが、ここではリモコン１００の受信回路１０４についてのみ説明する。受信回路１０４は、直流電圧が重畳されている伝送線１２８，１２９から交流信号を抽出する。具体的には、伝送線１２８からの入力Ｐ１及び伝送線１２９からの入力Ｐ２に対して、コンデンサＣ１，Ｃ２、抵抗Ｒ１，Ｒ２，Ｒ３，Ｒ４を有するハイパスフィルタ２０２によりベースバンド信号を抽出する。すなわち、ハイパスフィルタ２０２が直流電圧を除去する。
【００４８】
抽出されたベースバンド信号は入力Ｉｎ１と入力Ｉｎ２として、定電流回路Ｉ１に共通に接続された増幅器Ｑ１，Ｑ２を有する差動増幅回路２０４に入力される。そして、入力Ｉｎ１と入力Ｉｎ２との差電圧が増幅され、負荷抵抗Ｒ５及び負荷抵抗Ｒ６に差電圧Ｖｒ５，Ｖｒ６として出力される。
【００４９】
出力された差電圧Ｖｒ５，Ｖｒ６は、コンパレータＵ１，Ｕ２において参照電位Ｖｒｅｆと比較されて、Ｖｒ５＜ＶｒｅｆとなるとコンパレータＵ１がＬレベルの出力を送出する。また、Ｖｒ６＜ＶｒｅｆとなるとコンパレータＵ２がＬレベルの出力を送出する。ＯＲゲートＵ４は、負論理の論理積ゲートとして機能するので、コンパレータＵ１，Ｕ２の出力を受けて何れかの出力がＬレベルであれば、出力ＶｏｕｔをＬレベルにしてＭＣＵ１２４に伝達する。
【００５０】
本実施形態では、ＡＭＩ信号（Alternate Mark Inversion code）により通信を行って、０と１とを電圧の極性で表現しているため、信号が正極か負極かを判断する必要がある。したがって、一対のコンパレータＵ１，Ｕ２を設けている。
【００５１】
図１に戻り、直流電圧分離回路１０８は、コイル１１０とダイオードブリッジ１１２と電解コンデンサ１１４とを有しており、ダイオードブリッジ１１２で整流し、さらに電解コンデンサ１１４で平滑して直流電圧を電源回路１１６に送出する。
【００５２】
電源回路１１６は、電解コンデンサ１１４から得た直流電圧に基づいて、動作電圧を生成し（上記直流電圧自体を動作電圧に採用しても良い）、受信回路１０４及び送信回路１０６に動作電圧を供給すると共に、バックライト１２２に電圧を印加する。
【００５３】
図３は、負荷の駆動方法を説明する図である。ＭＣＵ１２４は、監視部１２６を有している。監視部１２６は、入力回路１１８が駆動命令を受け付けたときに、伝送線１２８，１２９から入力される入力電圧に交流信号が含まれているか否かを監視する。かかる監視はＯＲゲートＵ４の出力Ｖｏｕｔを検出することで実現できる。ＭＣＵ１２４は、受信回路１０４への入力電圧に交流信号が含まれていないときに駆動命令に応じた処理を実行し、入力電圧に交流信号が含まれているときに該処理を待機する。
【００５４】
具体的には、図３に示すように、入力回路１１８が駆動命令を受け付けたときに、監視部１２６は伝送線１２８，１２９に交流信号の通信パケットが含まれているか否かを監視し、通信パケットが含まれていないとき（休止期間）にバックライト１２２を制御してバックライト１２２が消費する電圧を調整して点灯又は消灯を制御する。換言すれば、リモコン１００と室内機側Ｉ／Ｆ回路１３０との間で通信が行われている間は、バックライト１２２の点灯又は消灯を待機する。
【００５５】
また、バックライト１２２の点灯又は消灯の制御を行っている最中であっても伝送線１２８，１２９に通信パケットが含まれているか否かを監視し、通信パケットが含まれた場合には、バックライト１２２の点灯又は消灯の制御を中断し、休止期間に再開する。これにより、バックライト１２２への動作電圧の供給に伴う電圧変動が、リモコン１００と室内機側Ｉ／Ｆ回路１３０との間の通信に与える影響を回避又は抑制できる。
【００５６】
図４は、バックライト１２２の駆動に係る電圧波形を示す図である。ＭＣＵ１２４が行う処理によってバックライト１２２に印加される電圧の変化は、図４（ａ）に示すように時間連続的な変化であっても良いし、図４（ｂ）に示すように時間離散的な変化であっても良い。例えば、バックライト１２２への印加電圧の変化を時間離散的とする場合には、パルスのデューティを以下のように変化させる。すなわち、バックライト１２２（負荷）をＯＮさせるときはパルス電圧のデューティを時間と共に上昇させ、バックライト１２２（負荷）をＯＦＦさせるときはパルス電圧のデューティを時間と共に下降させる。
【００５７】
〈ハイパスフィルタの時定数と電圧変動〉
図５は、電圧変動を示す図であり、図６は伝送線１２８，１２９の波形を示す図である。ここでは、ハイパスフィルタ２０２の時定数と電圧変動について説明する。
【００５８】
入力Ｉｎ１と入力Ｉｎ２（図２参照）との電位差Ｖｉｎ１−Ｖｉｎ２が予め定められた電圧閾値以上になると、受信回路１０４はＬレベルの出力Ｖｏｕｔを送出する。
【００５９】
今、交流信号が重畳していない状態を考える。入力Ｐ１，Ｐ２間に直流電圧Ｖｐ１−ｐ２が印加されている場合、コンデンサＣ１，Ｃ２の極板間電圧Ｖｃ１，Ｖｃ２を用いてＶｐ１−ｐ２＝Ｖｃ１＋Ｖｃ２という関係式が成立する。ここで、伝送線１２８，１２９の間に重畳された直流電圧が低下すると、電圧Ｖｃ１＋Ｖｃ２も低下する。また、直流電圧分離回路１０８が電源回路１１６に与える電圧も低下するので、電源回路１１６が受信回路１０４に与える電源電圧ＶｃｃもΔＶｃｃ低下する。よって、電圧Ｖｃ１の低下量をΔＶｃ１、電圧Ｖｃ２の低下量をΔＶｃ２とすると、入力Ｉｎ１，Ｉｎ２の電位差は（ΔＶｃｃ−ΔＶｃ１−ΔＶｃ２）に比例して低下する。
【００６０】
直流電圧の変動による電圧Ｖｐ１−ｐ２の低下に伴って、コンデンサＣ１，Ｃ２の極板間電圧Ｖｃ１，Ｖｃ２が低下し、これに追従して電源電圧Ｖｃｃも低下すれば、ΔＶｃ１＋ΔＶｃ２＝ΔＶｃｃとなり、入力Ｉｎ１，Ｉｎ２間の電位差Ｖｉｎ１−Ｖｉｎ２＝０を維持する。しかし、直流電圧の変動が急激な場合、コンデンサＣ１，Ｃ２の放電によってＶｉｎ１−Ｖｉｎ２≠０となる。この場合、図５に示されるようにベースラインが低下することになり、負側閾値電圧が相対的に上昇することになる。本発明では、パケット通信の休止期間中にバックライト１２２を駆動することにより、直流電圧の急激な変動を抑制している。
【００６１】
直流電圧の急激な変動を抑制する代わりに、該変動に対する応答速度、すなわちコンデンサＣ１，Ｃ２の静電容量と抵抗Ｒ１〜Ｒ４の抵抗値を適宜調整して時定数を小さくすることによって、電圧変動に追従することができる。しかし、急激な電圧変動に追従可能な程度に時定数を小さくすると、ベースバンド波形にドループが発生し、交流信号の読取ポイントでの振幅が不足してしまう。したがって、本発明に示すように急激な電圧変動を抑制することが望ましい。
【００６２】
電源Ｖｃｃに接続されて抵抗Ｒ５，Ｒ６で電圧降下した後の電圧Ｖｒ５，Ｖｒ６と参照電位Ｖｒｅｆとの差電圧を正側閾値電圧及び負側閾値電圧として設定し、正側閾値電圧を上回る信号か又は負側閾値電圧を下回る信号を出力ＬとしてＭＣＵ１２４に送出する。ＭＣＵ１２４は受信回路１０４から送出された出力Ｌに基づいて、室内機側Ｉ／Ｆ回路１３０との通信を行う。
【００６３】
〈動作〉
図７は、負荷（バックライト１２２）の駆動方法を説明するフローチャートである。リモコン１００は、以上のような構成を備えることにより、以下のような動作を行う。なお、本フローチャートでは、リモコン１００がバックライト１２２を駆動するための動作のみを示し、その他の処理動作については図示及び説明を省略している。また、特に記載のない場合は、リモコン１００における一連の処理動作は、ＭＣＵ１２４の制御下で自動的に行われる。また、本実施形態では、具体例としてバックライト１２２の点灯処理について説明するが、バックライト１２２の消灯処理についても同様の処理を実行することが可能であり、その場合には「電圧を上昇」を「電圧を減少」と読み替えるものとする。
【００６４】
まず、リモコン１００は、電源がＯＮの状態で、バックライト１２２の駆動命令が入力回路１１８から入力されるまで待機する（ステップＳ１０１）。バックライト１２２の駆動命令が入力されると、ステップＳ１０１においてＹｅｓ（図中「Ｙ」と表記：以下同様）を選択して、監視部１２６が、伝送線１２８，１２９に交流信号が伝送されているか否かを判断し、該判断が肯定的である（すなわち、伝送線１２８，１２９に交流信号が伝送されている）場合には、ＭＣＵ１２４が、バックライト１２２の駆動処理を待機する（ステップＳ１０２）。
【００６５】
監視部１２６での判断が否定的である（すなわち、伝送線１２８，１２９に交流信号が伝送されていない）場合には、ＭＣＵ１２４が電源回路１１６を制御してバックライト１２２を点灯状態にすべく、徐々に電圧印加を開始する。すなわち、伝送線１２８，１２９の電圧を徐々に上昇させる（ステップＳ１０３）。
【００６６】
ステップＳ１０３の処理中であっても監視部１２６は、伝送線１２８，１２９に交流信号が伝送されているか否かを監視し（ステップＳ１０４）、Ｙｅｓを選択する場合にはバックライト１２２への電圧印加を中断する（ステップＳ１０５）。以後、バックライト１２２の点灯処理が終了するまで上述の処理を繰り返す（ステップＳ１０６）。つまり、ステップＳ１０３〜Ｓ１０６が課題を解決する手段でいうところのステップＳ１１０と把握される。
【００６７】
〈第１実施形態の効果〉
以上のように、バックライト１２２の点灯処理を交流信号の休止期間に行うことにより、バックライト１２２の駆動による直流電圧の変動が交流信号を検出する妨げとならない。
【００６８】
また、バックライト１２２の点灯処理中であっても、交流信号が伝送されているか否かを監視するので、交流信号の検出を妨げないように待機された処理を実行できる。
【００６９】
また、点灯処理によってバックライト１２２に印加される電圧の変化を、時間連続的又は時間離散的な変化とさせるので、交流信号の検出を妨げず、しかも電源電圧の変動による通信異常を回避又は抑制できる。特に、時間離散的な制御については、時間連続的な制御を行うよりも低コストで実現できる。
【００７０】
〈第２実施形態〉
上記実施形態では、交流信号の休止期間中に駆動処理を実行する態様について説明したが、本発明はこれに限定されるものではない。ここでは、本発明の第２実施形態として、交流信号の有無にかかわらず負荷を駆動するための電源電圧を時間的に変化させる態様について図面を参照しながら説明する。なお、特に断りのない限り、上記実施形態と同様の機能を有する要素については、同一符号を付してその説明を省略する。
【００７１】
〈構成〉
図８は、本発明の第２実施形態に係る負荷駆動装置（リモコン）１００Ａを示す図であり、図９は、バックライト１２２の駆動に係る電圧波形を示す図である。図８に示すように、本実施形態のリモコン１００Ａは、上記実施形態から監視部１２６を除いた構成となっている。
【００７２】
ＭＣＵ１２４Ａは、入力回路１１８が駆動命令を受け付けると、電源回路１１６を制御してバックライト１２２への動作電圧を時間的に変化させる。具体的には、図９（ａ）に示すように、バックライト１２２に印加される電圧を時間連続的に変化させるか又は、図９（ｂ）に示すように、バックライト１２２に印加される電圧を時間離散的に変化させることによりバックライト１２２を点灯する。本実施形態では、バックライト１２２の光源としてＬＥＤを採用している。ＬＥＤの電圧・電流特性は非線形であるため、ＭＣＵ１２４Ａが行う制御は、電圧制御方式よりも電流制御方式の方が望ましい。
【００７３】
〈動作〉
図１０は、負荷（バックライト１２２）の駆動方法を説明するフローチャートである。リモコン１００Ａは、以上のような構成を備えることにより、以下のような動作を行う。なお、本フローチャートにおいても、リモコン１００Ａがバックライト１２２を駆動するための動作のみを示し、その他の処理動作については図示及び説明を省略している。また、特に記載のない場合は、リモコン１００Ａにおける一連の処理動作は、ＭＣＵ１２４Ａの制御下で自動的に行われる。
【００７４】
まず、リモコン１００Ａは、電源がＯＮの状態で、バックライト１２２の駆動命令が入力回路１１８から入力されるまで待機する（ステップＳ２０１）。バックライト１２２の駆動命令が入力されると、ステップＳ２０１においてＹｅｓを選択して、ＭＣＵ１２４Ａが電源回路１１６を制御してバックライト１２２に時間連続的又は時間離散的に電圧を印加する（ステップＳ２０２）。
【００７５】
〈第２実施形態の効果〉
以上のように、バックライト１２２への電圧印加を時間的に変化させることにより、ベースラインの変動に正側閾値電圧及び負側閾値電圧の変動が追従可能となり、通信異常の発生を回避又は抑制できる。
【００７６】
また、点灯処理によってバックライト１２２に印加される電圧の変化を、時間連続的又は時間離散的な変化とさせるので、電源電圧の変動による通信異常を回避又は抑制できる。特に、電圧の変化を時間離散的にすることにより、時間連続的な変化をさせる場合よりも低コストで同様の効果を得ることができる。
【００７７】
〈第３実施形態〉
上記第１実施形態では交流信号の休止期間中に駆動処理を実行する態様について説明し、上記第２実施形態では交流信号の検出を妨げずに駆動処理を実行する態様について説明した。つまり、上記第１及び第２実施形態では駆動処理よりも交流信号を優先させる態様について説明したが、本発明はこれに限定されるものではない。ここでは、本発明の第３実施形態として、交流信号の検出よりも駆動処理の実行を優先させる態様について図面を参照しながら説明する。なお、本実施形態においても特に断りのない限り、上記実施形態と同様の機能を有する要素については、同一符号を付してその説明を省略する。
【００７８】
〈構成〉
図１２は本発明の第３実施形態に係る負荷駆動装置（リモコン）１００Ｂを示す図であり、図１３は負荷の駆動方法を説明する図である。図１２に示すように、本実施形態のリモコン１００Ｂは、上記第１実施形態と略同じ構成を備えている。
【００７９】
入力回路１１８は交流信号を伝送線１２８，１２９に出力する出力命令を受け付ける。具体的には、交流信号を直流電圧に重畳して室内機側Ｉ／Ｆ回路１３０へと送信する命令を受け付ける。より具体的には、室内機側Ｉ／Ｆ回路１３０へと出力される交流信号とは空気調和機の動作を制御するための通信パケットである。
【００８０】
第１監視部１２６Ｂは、入力回路１１８が出力命令を受け付けたとき、バックライト１２２の駆動命令が入力されているか否かを監視する。バックライト１２２の駆動命令が入力されているか否かの判断は例えば、伝送線１２８，１２９を流れる直流電圧（ベースライン）が変動しているか否かをもって行う。直流電圧が上昇していれば、それに伴ってバックライト１２２は点灯し、直流電圧が下降していれば、それに伴ってバックライト１２２は消灯するからである。なお、バックライト１２２を直接監視して、バックライト１２２に電圧が印加されていてかつ、当該電圧が変動しているか否かをもって判断するようにしても良い。
【００８１】
ＭＣＵ１２４Ｂは、バックライト１２２の駆動命令が入力されていないときに交流信号の入出力を実行し、バックライト１２２の駆動命令が入力されているときには交流信号の入出力を待機する。
【００８２】
具体的には、図１３に示すように、入力回路１１８が交流信号の出力命令を受け付けたときに、第１監視部１２６Ｂはバックライト１２２の駆動命令が入力されているか否かを監視し、駆動命令が入力されていないときに交流信号を直流電圧に重畳して通信を行い、外交流信号に応じた処理を実行する。換言すれば、リモコン１００Ｂがバックライト１２２の点灯又は消灯を行っている間は、リモコン１００Ｂと室内機側Ｉ／Ｆ回路１３０との間の通信を待機する。
【００８３】
第２監視部２２６Ｂは、室内機側Ｉ／Ｆ回路１３０からの交流信号が伝送線１２８，１２９から分離されているか否か、つまり、室内機側Ｉ／Ｆ回路１３０からの交流信号が伝送線１２８，１２９に含まれているか否かを監視する。
【００８４】
ＭＣＵ１２４Ｂは、バックライト１２２の駆動命令が入力されていないときに交流信号の入出力を実行し、バックライト１２２の駆動命令が入力されているときには交流信号の入出力を待機する。
【００８５】
リモコン１００Ｂと室内機側Ｉ／Ｆ回路１３０との間の通信を行っている最中であっても駆動処理が実行されているか否かを監視し、駆動処理が開始された場合には、リモコン１００Ｂと室内機側Ｉ／Ｆ回路１３０との間の通信を中断し、駆動処理実行後に再開する。これにより、バックライト１２２を速やかに駆動することができる。なお、バックライト１２２の駆動処理に要する時間及び、リモコン１００Ｂと室内機側Ｉ／Ｆ回路１３０との間の通信に要する時間はともに数ミリ秒程度であるから、いずれを優先したとしても空気調和機の運転に支障はない。
【００８６】
〈電圧変化率の監視〉
上述の通り、バックライト１２２の駆動処理では、バックライト１２２への動作電圧の供給に伴って電圧変動が生じる。図１１で示したように、リモコン１００Ｂと室内機側Ｉ／Ｆ回路１３０とが通信を行っているとき、ベースライン（直流電圧）の変動が急峻であれば、通信の受信回路（上記実施形態でいうところの受信回路１０４，１３６）が採用する閾値電圧が、ベースラインの変化に追従できないことがある。これによって通信異常を招来する。
【００８７】
換言すれば、ベースラインの電圧変動が予め定められた閾値以下の場合には、電圧が変動している最中であっても交流信号の検出が可能であり、通信異常を来さないといえる。そこで、バックライト１２２の駆動命令が入力されていると第１監視部１２６Ｂが判断したときに、直流電圧の変化率を監視する第３監視部３２６Ｂを更に備えることで、バックライト１２２の駆動処理と交流信号の出力を同時に行うことができる。
【００８８】
具体的には例えば、図１２に示すように、ＭＣＵ１２４Ｂが第３監視部３２６Ｂを有して、バックライト１２２の駆動命令が入力されていると第１監視部１２６Ｂが判断したときに第３監視部３２６Ｂが伝送線１２８，１２９の直流電圧の変化率を監視する。あるいは、直流電圧の電圧変化率を常時監視し、駆動処理が実行されていると第１監視部１２６Ｂが判断したときに、監視内容をメモリ（図示省略）等に記録するようにしても良い。
【００８９】
第３監視部３２６Ｂが監視する電圧変化率が、予め定められた閾値以下の場合（入力電圧Ｖｉが例えば図６のように変化する場合）には、駆動処理の実行と併行して交流信号を伝送線１２８，１２９に出力して通信を行い、該交流信号に基づいた処理を実行する。また、第３監視部３２６Ｂが監視した電圧変化率が該閾値よりも大きい場合（例えば入力電圧Ｖｉが例えば図１１のように変化する場合）には、駆動処理が終了するのを待ってから交流信号を出力する。
【００９０】
なお、本実施形態においてはバックライト１２２の駆動状態を監視する第１監視部１２６Ｂと、室内機側Ｉ／Ｆ回路１３０からリモコン１００Ｂに対して交流信号が送られているか否かを監視する第２監視部２２６Ｂ及び、電圧変化率を監視する第３監視部３２６Ｂとが別体に示されているが、一体であっても良い。
【００９１】
〈動作〉
図１４は負荷（バックライト１２２）の駆動方法を説明するフローチャートである。リモコン１００Ｂは、以上のような構成を備えることにより、以下のような動作を行う。
【００９２】
まず、リモコン１００Ｂは、電源がＯＮの状態で、リモコン１００Ｂから室内機側Ｉ／Ｆ回路１３０へ向けた交流信号の出力命令を受け付けるまで待機する（ステップＳ３０１）。出力命令を受け付けるとステップＳ３０１においてＹｅｓを選択して室内機側Ｉ／Ｆ回路１３０からリモコン１００Ｂへ向けた交流信号が伝送されているか否か、すなわち交流信号が直流電圧に重畳されているか否かを監視し、重畳されなくなるまで待機する（ステップＳ３０２）。
【００９３】
室内機側Ｉ／Ｆ回路１３０からの交流信号が直流電圧に重畳されていない場合にはステップＳ３０２においてＮｏ（図中「Ｎ」と表記：以下同様）を選択してバックライト１２２の駆動命令が入力されているか否かを監視する（ステップＳ３０３）。駆動命令が入力されている場合にはステップＳ３０３においてＹｅｓを選択して駆動処理を実行し（ステップＳ３０４）、当該駆動処理に係る電圧変化率が予め定められた閾値以下か否かを監視する（ステップＳ３０５）。
【００９４】
一方、駆動処理が行われていない場合にはステップＳ３０３においてＮｏを選択して交流信号の出力を行う（ステップＳ３０６）。また、駆動処理が行われている場合であっても電圧変化率が閾値以下の場合には交流信号の出力を行う。換言すれば、交流信号を出力するための条件は、室内機側Ｉ／Ｆ回路１３０からの交流信号が重畳されておらず、かつ、次のいずれかを満足していることである。すなわち、駆動処理が行われていないこと。又は、駆動処理が行われている場合であってもその電圧変化率が閾値以下であること。
【００９５】
本実施形態においてはリモコン１００Ｂが交流信号を出力している間は、室内機側Ｉ／Ｆ回路１３０からの交流信号の重畳は行われないことが望ましい。また、駆動処理は交流信号の出力とは独立に行われるので、交流信号の出力中であっても駆動処理が行われた場合には、適宜に交流信号の出力を中断することが望ましい。
【００９６】
したがって、ステップＳ３０６において交流信号を出力しつつ、駆動命令が入力されているか否かを監視する（ステップＳ３０７）。
【００９７】
駆動命令が入力された場合にはステップＳ３０７においてＹｅｓを選択して駆動処理を実行し（ステップＳ３１０）、当該駆動処理に係る電圧変化率が閾値以下か否かを監視する（ステップＳ３１１）。電圧変化率が閾値以下の場合にはステップＳ３１１においてＹｅｓを選択してステップＳ３０８へ進む。一方、電圧変化率が閾値よりも大きい場合にはステップＳ３１１においてＮｏを選択して交流信号の出力を停止する（ステップＳ３１２）。その後、ステップＳ３０７に戻る。
【００９８】
駆動命令が入力されない場合にはステップＳ３０７においてＮｏを選択して交流信号を出力するステップＳ３０８を実行する。そして、交流信号の出力が完了するまでステップＳ３０６，Ｓ３０７，Ｓ３１０，Ｓ３１１，Ｓ３１２を繰り返す（ステップＳ３０９）。
【００９９】
なお、ステップＳ３０２の判断とステップＳ３０３〜Ｓ３０５の判断とは順序を入れ替えても良い。具体的にはステップＳ３０１の判断が肯定的であった場合、ステップＳ３０３が実行される。ステップＳ３０３の判断が否定的であった場合、ステップＳ３０２が実行される。ステップＳ３０２の判断が否定的であった場合、伝送線１２８，１２９において交流信号が重畳されておらず、かつ、ステップＳ３０２が実行される前提として負荷の駆動命令も入力されていないのであるから（ステップＳ３０３の否定的判断結果）、ステップＳ３０６へと処理が進んで交流信号が出力される。
【０１００】
ステップＳ３０３の判断が肯定的であった場合、ステップＳ３０４，Ｓ３０５が実行される。ステップＳ３０５の判断が否定的である場合にはステップＳ３０３が再び実行される。ステップＳ３０４の判断が肯定的であった場合はステップＳ３０３の肯定的判断結果の例外的処理として、ステップＳ３０２に処理が進む。
【０１０１】
〈第３実施形態の効果〉
以上のように、バックライト１２２の駆動処理中には、リモコン１００Ｂと室内機側Ｉ／Ｆ回路１３０との間の交流信号による通信を待機する、つまり交流信号の出力をバックライト１２２の駆動期間外に行うので、バックライト１２２を速やかに駆動することができる。
【０１０２】
また、リモコン１００Ｂへの交流信号の入力がない場合でかつ、駆動処理が行われている場合には、駆動処理が終了するまで、交流信号を待機し、駆動処理が終了したときに交流信号の出力を行うので、バックライト１２２の駆動を妨げないように待機された出力処理を実行できる。
【０１０３】
また、駆動処理中であっても電圧変化率が閾値以下の場合には交流信号の出力を行うので、バックライト１２２の駆動による直流電圧の変動が生じても交流信号を検出できる。つまり、交流信号の出力と駆動処理とを併行して実行できる。
【０１０４】
〈変形例〉
以上、本発明の好適な態様について説明したが、本発明はこれに限定されるものではない。例えば、上記第３実施形態では、ステップＳ３１２で交流信号の出力を停止した後にステップＳ３０７に戻る態様を採用しているが、駆動命令の有無と駆動処理の実行とが独立したステップである場合には、ステップＳ３１２の後にステップＳ３１１に戻るようにしても良い。
【０１０５】
図１５は変形例に係る負荷（バックライト）の駆動方法を説明するフローチャートであり、上記第１実施形態の変形例を示している。まず、リモコン１００は、電源がＯＮの状態で、バックライト１２２の駆動命令が入力回路１１８から入力されるまで待機する（ステップＳ４０１）。バックライト１２２の駆動命令が入力されると、ステップＳ４０１においてＹｅｓを選択して、監視部１２６が、伝送線１２８，１２９に交流信号が伝送されているか否かを判断し、該判断が肯定的である場合には、ＭＣＵ１２４が、バックライト１２２の駆動処理（具体的には電圧変動）を待機する（ステップＳ４０２）。
【０１０６】
監視部１２６での判断が否定的である場合には、ＭＣＵ１２４が電源回路１１６を制御してバックライト１２２の駆動（すなわちバックライト１２２のＯＮ／ＯＦＦに係る電圧変動）を制御する（ステップＳ４０３）。
【図面の簡単な説明】
【０１０７】
【図１】本発明の第１実施形態に係る負荷駆動装置を示す図である。
【図２】受信回路の内部を示す回路図である。
【図３】負荷の駆動方法を説明する図である。
【図４】バックライトの駆動に係る電圧波形を示す図である。
【図５】電圧変動を示す図である。
【図６】伝送路の波形を示す図である。
【図７】負荷の駆動方法を説明するフローチャートである。
【図８】本発明の第２実施形態に係る負荷駆動装置を示す図である。
【図９】バックライトの駆動に係る電圧波形を示す図である。
【図１０】負荷の駆動方法を説明するフローチャートである。
【図１１】本発明が解決する課題を説明する伝送路波形を示す図である。
【図１２】本発明の第３実施形態に係る負荷駆動装置を示す図である。
【図１３】負荷の駆動方法を説明する図である。
【図１４】負荷の駆動方法を説明するフローチャートである。
【図１５】変形例に係る負荷の駆動方法を説明するフローチャートである。
【符号の説明】
【０１０８】
１００，１００Ａ  リモコン（負荷駆動装置）
１０２  通信部（通信手段）
１０８  直流電圧分離手段
１２２  バックライト（負荷）
１２４，１２４Ａ  ＭＣＵ（制御手段）
１２８，１２９  伝送線
【図１】
2009100469.tif 000003
【図２】
2009100469.tif 000004
【図３】
2009100469.tif 000005
【図４】
2009100469.tif 000006
【図５】
2009100469.tif 000007
【図６】
2009100469.tif 000008
【図７】
2009100469.tif 000009
【図８】
2009100469.tif 000010
【図９】
2009100469.tif 000011
【図１０】
2009100469.tif 000012
【図１１】
2009100469.tif 000013
【図１２】
2009100469.tif 000014
【図１３】
2009100469.tif 000015
【図１４】
2009100469.tif 000016
【図１５】
2009100469.tif 000017